(57)【要約】【課題】  特定の異常の検知を無効にした場合でも異常の発生を確認報知することができるようにした画像形成装置の異常検知装置および方法を提供する。【解決手段】  画像形成装置（１）は、用紙搬送部（３２）、給紙部（４０）に発生する各種異常の検知を有効または無効にする設定を異常検知制御無効フラグ管理テーブル（２１）で給紙トレイ（３７〜３９）毎に管理する。異常検知装置（２）は、操作表示部（３）におけるオペレータの操作によって、異常検知制御無効フラグ管理テーブル（２１）の内容を更新し、画像形成装置（１）に発生した異常をログ情報（１６）に登録し、警告処理管理テーブル（１５）の設定に基づいて、操作表示部（３）への異常の警告表示制御、オペレータコールランプ（４）の点灯、異常通知ブザー（５）の鳴動による異常の報知制御を行う。【選択図】  図１
2005031590.tif 000002
【特許請求の範囲】
【請求項１】
異常を検知する異常検知手段を有すると共に、該異常検知手段による異常の検知を無効にする設定手段を有する画像形成装置の異常検知装置において、
前記設定手段により前記異常検知手段による異常の検知が無効に設定された場合は、前記異常検知手段により検知された異常をログ情報として蓄積する蓄積手段
を具備することを特徴とする異常検知装置。
【請求項２】
前記設定手段により前記異常検知手段による異常の検知が無効に設定された場合は、該異常の検知が無効に設定されていることを報知する第１の報知手段
を更に具備することを特徴とする請求項１記載の異常検知装置。
【請求項３】
前記蓄積手段に蓄積されたログ情報に基づき、前記設定手段により前記異常検知手段による異常の検知が無効に設定されている間に該異常検知手段により検知された異常を報知する第２の報知手段
を更に具備することを特徴とする請求項１記載の異常検知装置。
【請求項４】
前記第２の報知手段は、
前記設定手段により前記異常検知手段による異常の検知が無効に設定されている間に該異常検知手段により検知された異常を所定のタイミングで報知する
ことを特徴とする請求項３記載の異常検知装置。
【請求項５】
前記第２の報知手段は、
前記設定手段により前記異常検知手段による異常の検知が無効に設定されている間に該異常検知手段により検知された異常の検知回数を前記ログ情報に基づき計数する計数手段と、
前記計数手段で計数された異常の検知回数が予め設定された回数に達した場合は該検知異常を報知する
ことを特徴とする請求項３記載の異常検知装置。
【請求項６】
前記異常検知手段は、
複数種類の異常を検知し、
前記設定手段は、
検知異常の種類に対応して該異常の検知を無効にするか否かを選択的に設定し、
前記第２の検知手段は、
前記設定手段により検知が無効に設定された異常の種類に対応して報知態様を異ならせる
ことを特徴とする請求項３記載の異常検知装置。
【請求項７】
前記設定手段は、
給紙に用いている給紙トレイ別に前記異常の検知を無効にするか否かを選択的に設定する
ことを特徴とする請求項１記載の異常検知装置。
【請求項８】
前記第１の報知手段は、
前記異常の検知を無効にすると設定されている給紙トレイの開け閉め毎に前記異常の検知が無効に設定されていることを報知する
ことを特徴とする請求項２記載の異常検知装置。
【請求項９】
異常を検知する異常検知手段を有すると共に、該異常検知手段による異常の検知を無効にする設定手段を有する画像形成装置の異常検知方法において、
前記設定手段により前記異常検知手段による異常の検知が無効に設定された場合は、前記異常検知手段により検知された異常をログ情報として蓄積手段に蓄積するとともに、
該蓄積手段に蓄積されたログ情報に基づき、前記異常の検知が無効に設定されている間に前記異常検知手段により検知された異常を報知する
ことを特徴とする異常検知方法。
【請求項１０】
前記設定手段により前記異常検知手段による異常の検知が無効に設定されている場合は、該異常の検知が無効に設定されていることを報知する
ことを特徴とする請求項９記載の異常検知方法。
【請求項１１】
前記異常の検知が無効に設定されている間に前記異常検知手段により検知された異常を所定のタイミングで報知する
ことを特徴とする請求項９記載の異常検知方法。
【請求項１２】
前記異常の検知が無効に設定されている間に前記異常検知手段により検知された異常の検知回数を前記ログ情報に基づき計数し、
該異常の検知回数予め設定された回数に達した場合は該検知異常を報知する
ことを特徴とする請求項９記載の異常検知方法。
【請求項１３】
前記異常検知手段は、
複数種類の異常を検知し、
前記設定手段は、
検知異常の種類に対応して該異常の検知を無効にするか否かを選択的に設定し、
前記異常の検知が無効に設定されている間に前記異常検知手段により検知された異常の報知を無効に設定された異常の種類に対応して異ならせる
ことを特徴とする請求項９記載の異常検知方法。
【請求項１４】
前記設定手段は、
給紙に用いている給紙トレイ別に前記異常の検知を無効にするか否かを選択的に設定する
ことを特徴とする請求項９記載の異常検知方法。
【請求項１５】
前記異常の検知が無効に設定されていることの報知は、
前記前記異常の検知を無効にすると設定されている給紙トレイの開け閉め毎に行われる
ことを特徴とする請求項１０記載の異常検知方法。
【発明の詳細な説明】
【技術分野】
【０００１】
本発明は、画像形成装置の異常検知装置および方法に関し、特に、異常の検知を無効にした場合に、バックグランドで検知を無効にした異常の検知に関するログ情報を採取して該採取したログ情報に基づいて異常を確認できるようにした異常検知装置および方法に関する。
【背景技術】
【０００２】
従来、画像形成装置の異常検知装置としては、特許文献１記載の「画像形成装置」がある。
【０００３】
特許文献１の発明は、転写紙検知手段と時間計測手段により転写紙搬送路上の紙詰まりを検知するための第１の閾値と、第１の閾値より小さい第２の閾値とを転写紙サイズ毎に用意し、転写紙搬送時間が第１の閾値以上の場合に紙詰まりと判断し画像形成動作をただちに停止する。
【０００４】
また、転写紙搬送時間が第１の閾値未満で第２の閾値以上の状態を２回以上連続で検知した場合は、転写紙サイズ異常と判断し次の転写紙の給紙搬送を禁止し、画像形成途中の転写紙の排紙が完了した所で画像形成動作を停止する。
【０００５】
また、転写紙搬送時間が第１の閾値未満で第２の閾値以上の状態を連続しないで１回ずつ検知した場合は画像形成動作を継続することを特徴とする画像形成装置である。
【０００６】
これにより、画像形成装置は、転写紙のサイズ違いや重送の発生を検知し、若干のサイズの違いであれば、ジャム停止を行わずジャム処理の手間を省くことができる。
【０００７】
【特許文献１】特開２００１−２２６１号公報。
【発明の開示】
【発明が解決しようとする課題】
【０００８】
ところで、非定型用紙や穴開き用紙等の特殊用紙を給紙トレイに入れて印刷を行う場合は、上記特許文献１の発明のような構成を採用しても、異常と誤検知され装置が停止してしまう場合があるので、このような場合は特定の異常検知機能を無効にして印刷ができるようにした装置が知られている。
【０００９】
しかし、異常の検知機能を無効にすると、オペレータはこの無効にした状態で発生した異常を認識することができず、印刷後において、発生した印刷ミスが、ハードウェアによる障害か、それとも検知制御の無効によるものであるかを判断および証明できないといった問題が生じた。
【００１０】
また、異常の検知制御が必要な用紙に対して検知制御を無効にした状態で印刷した場合、特に大量の部数を高速で印刷する装置においては、ミスプリントが大量に発生して用紙を無駄にしてしまうといった問題が生じた。
【００１１】
また、逆の場合において、異常の検知制御が不要な用紙に対して、異常検知制御を有効にした場合、異常の誤検知による印刷処理の停止が頻発し、稼動率の低下を招くといった問題が生じた。
【００１２】
そこで、本発明は、特定の異常の検知を無効にした場合でも異常の発生を確認報知することができるようにした画像形成装置の異常検知装置および方法を提供することを目的とする。
【課題を解決するための手段】
【００１３】
上記目的を達成する為に、請求項１の発明は、異常を検知する異常検知手段を有すると共に、異常検知手段による異常の検知を無効にする設定手段を有する画像形成装置の異常検知装置において、設定手段により異常検知手段による異常の検知が無効に設定された場合は、異常検知手段により検知された異常をログ情報として蓄積する蓄積手段を具備することを特徴とする。
【００１４】
また、請求項２の発明は、請求項１の発明において、異常検知手段による異常の検知が設定手段により無効に設定された場合は、異常の検知が無効に設定されていることを報知する第１の報知手段を更に具備することを特徴とする。
【００１５】
また、請求項３の発明は、請求項１の発明において、蓄積手段に蓄積されたログ情報に基づき、設定手段により異常検知手段による異常の検知が無効に設定されている間に異常検知手段により検知された異常を報知する第２の報知手段を更に具備することを特徴とする。
【００１６】
また、請求項４の発明は、請求項３の発明において、第２の報知手段は、異常検知手段による異常の検知が設定手段により無効に設定されている間に異常検知手段により検知された異常を所定のタイミングで報知することを特徴とする。
【００１７】
また、請求項５の発明は、請求項３の発明において、第２の報知手段は、設定手段により異常検知手段による異常の検知が無効に設定されている間に異常検知手段により検知された異常の検知回数をログ情報に基づき計数する計数手段と、計数手段で計数された異常の検知回数が予め設定された回数に達した場合は検知異常を報知することを特徴とする。
【００１８】
また、請求項６の発明は、請求項３の発明において、異常検知手段は、複数種類の異常を検知し、設定手段は、検知異常の種類に対応して異常の検知を無効にするか否かを選択的に設定し、第２の検知手段は、設定手段により検知が無効に設定された異常の種類に対応して報知態様を異ならせることを特徴とする。
【００１９】
また、請求項７の発明は、設定手段は、給紙に用いている給紙トレイ別に異常の検知を無効にするか否かを選択的に設定することを特徴とする。
【００２０】
また、請求項８の発明は、請求項２の発明において、第１の報知手段は、異常の検知を無効にすると設定されている給紙トレイの開け閉め毎に異常の検知が無効に設定されていることを報知することを特徴とする。
【００２１】
また、請求項９の発明は、異常を検知する異常検知手段を有すると共に、異常検知手段による異常の検知を無効にする設定手段を有する画像形成装置の異常検知方法において、設定手段により異常検知手段による異常の検知が無効に設定された場合は、異常検知手段により検知された異常をログ情報として蓄積手段に蓄積するとともに、蓄積手段に蓄積されたログ情報に基づき、異常の検知が無効に設定されている間に異常検知手段により検知された異常を報知することを特徴とする。
【００２２】
また、請求項１０の発明は、請求項９の発明において、設定手段により異常検知手段による異常の検知が無効に設定されている場合は、異常の検知が無効に設定されていることを報知することを特徴とする。
【００２３】
また、請求項１１の発明は、請求項９の発明において、異常の検知が無効に設定されている間に異常検知手段により検知された異常を所定のタイミングで報知することを特徴とする。
【００２４】
また、請求項１２の発明は、請求項９の発明において、異常の検知が無効に設定されている間に異常検知手段により検知された異常の検知回数をログ情報に基づき計数し、異常の検知回数予め設定された回数に達した場合は検知した異常を報知することを特徴とする記載の異常検知方法。
【００２５】
また、請求項１３の発明は、請求項９の発明において、異常検知手段は、複数種類の異常を検知し、設定手段は、検知異常の種類に対応して異常の検知を無効にするか否かを選択的に設定し、異常の検知が無効に設定されている間に異常検知手段により検知された異常の報知を無効に設定された異常の種類に対応して異ならせることを特徴とする。
【００２６】
また、請求項１４の発明は、請求項９の発明において、設定手段は、給紙に用いている給紙トレイ別に異常の検知を無効にするか否かを選択的に設定することを特徴とする。
【００２７】
また、請求項１５の発明は、請求項１０の発明において、異常の検知が無効に設定されていることの報知は、異常の検知を無効にすると設定されている給紙トレイの開け閉め毎に行われることを特徴とする。
【発明の効果】
【００２８】
本発明によれば、異常検知制御を無効にした異常を検知した場合、異常に関する情報のログ情報への記録、および異常の警告をバックグランドで行うようにしたので、特殊用紙等を高速で印刷する画像形成装置においては、異常検知制御の有効または無効の設定操作における人為的なミスを低減し、異常の誤検知による画像形成装置の稼動率の低下を防止し、また、異常の見逃しによる用紙の無駄を防止する効果を得るとともに、印刷ミスが発生した際においても、異常の原因（ハードウェア障害、ソフトウェア障害、オペレータの設定ミス）をログ情報によって特定して証明すことができるという効果を奏する。
【発明を実施するための最良の形態】
【００２９】
以下、本発明の実施例について添付図面を参照して詳細に説明する。
【００３０】
図１は、本発明に係わる異常検知装置および方法の一実施例を示す画像形成装置１および異常検知装置２の制御構成を示したブロック図である。
【００３１】
図１において、画像形成装置１は、非定型用紙、特殊用紙（穴開き用紙、隠蔽はがき等）を含む用紙をセット可能な複数の給紙トレイを具備し、大量部数の印刷処理を高速で行う装置である。
【００３２】
特殊用紙は、例えば図２（Ａ）に示す隠蔽はがき、図２（Ｂ）に示す穴開き用紙がある。
【００３３】
隠蔽はがきは、印刷後、図２（Ａ−１）の、予め感圧糊を塗布した用紙に、データ印字した後、はがき作成機で二つ折り、或いは三つ折り・断裁し、圧接着してはがきに仕上げることが可能な用紙である。
【００３４】
穴開き用紙は、例えば図２（Ｂ）に示すように印刷用紙の所定の部分に予め穴が空けられた用紙である。
【００３５】
非定型用紙は、例えば図２（Ｃ）に示すように、搬送方向に平行する側の長さが定型用紙よりも長いものや、逆に短い用紙などがある。
【００３６】
また、画像形成装置１は、搬送異常（重送、斜行、端折れ）を検知するセンサが、上記特殊用紙に対しての誤検知を防止するために、搬送異常の検知制御を無効あるいは有効にする切り替え機能を有する。
【００３７】
一方、異常検知装置２は、画像形成装置１に接続し、画像形成装置１のプリンタ部３０で発生する搬送異常を監視し、発生した搬送異常に関するログを採取するログ採取機能、搬送異常の発生を表示部に表示する表示機能、オペレータコールランプ４の点燈、異常通知ブザー５の鳴動による異常発生通知を行う搬送異常発生報知機能を有する。
【００３８】
画像形成装置１は、画像形成装置主制御部２６と、プリンタコントローラ２５と、ネットワークインタフェース２７と、対異常検知装置接続インタフェース２３と、画像形成装置記憶部１８と、プリンタ部３０とで構成される。
【００３９】
画像形成装置主制御部２６は、バス２４を介して接続された画像形成装置記憶部１８、対異常検知装置接続インタフェース２３、プリンタコントローラ２５、ネットワークインタフェース２７を制御し、画像形成装置１におけるプリンタ部３０における印刷制御、ネットワーク２８との通信制御、異常検知装置２との制御データ通信制御、画像形成装置記憶部１８とのデータ入出力制御を行う。
【００４０】
画像形成装置記憶部１８は、画像形成装置１の制御に必要な各制御プログラム（図示せず）、システムパラメータ１９、給紙トレイ管理テーブル２０、異常検知制御無効フラグ管理テーブル２１、搬送中用紙給紙トレイ２２を記憶する。
【００４１】
システムパラメータ１９は、センサ制御部３１が用紙搬送部３２に装備された各センサから出力された出力信号を解析して異常の発生を判断する場合に必要な基準値等を記憶する。
【００４２】
給紙トレイ管理テーブル２０は、画像形成装置１の給紙部４０に装備された給紙トレイの識別情報の一覧と、各給紙トレイにセットされた用紙の種類を記憶して管理するテーブルである。
【００４３】
図３に、給紙トレイ管理テーブル２０の例を示す。
【００４４】
図３において、給紙トレイ管理テーブル２０が管理する項目は、給紙トレイをユニークに特定するための識別子が記録して管理される給紙トレイＩＤ、給紙トレイＩＤに対応する給紙トレイ名称、給紙トレイに現在セットされている用紙を特定するための用紙種別で構成される。
【００４５】
再度、図１に戻り、異常検知制御無効フラグ管理テーブル２１は、異常検知装置２からの指示に基づいて、センサ制御部３１の異常検知制御を異常種別毎に有効あるいは無効にするかを給紙トレイ毎に記憶して管理するテーブルである。
【００４６】
図４は、異常検知制御無効フラグ管理テーブル２１の登録例を示すテーブルレイアウトである。
【００４７】
図４において、異常検知制御無効フラグ管理テーブル２１は、トレイＩＤ、斜行異常検知制御無効フラグ、端折れ異常検知制御無効フラグ、重送異常検知制御無効フラグを項目として有し、画像形成装置１における搬送異常の検知を禁止するか否かを給紙トレイ毎に記憶して管理する。
【００４８】
給紙トレイＩＤは、画像形成装置１に装備された各給紙トレイの識別子を示し、図３に示した給紙トレイ管理テーブル２０にて管理されている給紙トレイＩＤが設定される項目である。
【００４９】
斜行検知制御無効フラグ、端折れ検知制御無効フラグ、重送検知制御無効フラグは、対応する給紙トレイＩＤによって特定される給紙トレイから繰り出された用紙の搬送異常に対する異常の検知制御を無効または有効のいずれに設定した状態であるかをフラグ化して管理する。
【００５０】
また、斜行検知制御無効フラグ、端折れ検知制御無効フラグ、重送異常検知制御無効フラグそれぞれにおいて、異常の検知制御を無効し、仮に各センサが異常を検知しても印刷処理は継続して行る場合は、設定値をＯＮにする。
【００５１】
一方、異常の検知制御を有効にし、異常検知と共に印刷処理を停止する場合は設定値をＯＦＦにする。
【００５２】
再度、図１に戻り、搬送中用紙給紙トレイ２２は、搬送路において用紙センサを通過する用紙を給紙した給紙トレイの給紙トレイＩＤを記憶して管理する情報である。
【００５３】
対異常検知装置接続インタフェース２３は、異常検知装置２に専用線２９を介して接続し、画像形成装置主制御部２６と、異常検知装置２との間における制御データの送受信制御を行う。
【００５４】
ネットワークインタフェース２７は、ネットワーク２８を介して印刷クライアントやプリンタサーバから送信される印刷ジョブデータの受信を含む通信制御を行う。
【００５５】
プリンタコントローラ２５は、プリンタ部３０に接続し、画像形成装置主制御部２６からの指示に基づいてプリンタ部３０における印刷処理を制御する。
【００５６】
センサ制御部３１は、プリンタ部３０の用紙搬送部３２の斜行検知部３３、端折れ検知部３４、重送検知部３６、給紙部４０に配置された給紙トレイセンサ３５に接続し、各センサが出力した検知信号を解析し、解析結果を画像形成装置主制御部２６に通知する。
【００５７】
用紙搬送部３２において、斜行検知部３３は、搬送路（図示せず）における用紙の斜行を検知してセンサ制御部３１に検知信号を出力し、端折れ検知部３４は、搬送された用紙の端の折れ曲がりを検知してセンサ制御部３１に検知信号を出力し、重送検知部３６は、搬送された複数の用紙の重なりを検知してセンサ制御部３１に出力する。
【００５８】
給紙部４０において、給紙トレイセンサ３５は、複数の給紙トレイ（給紙トレイＡ３７、給紙トレイＢ３８、給紙トレイＣ３９）における開閉動作を検知してセンサ制御部３１に検知信号を出力し、給紙トレイにセットされた用紙の種別を検知してセンサ制御部３１に検知信号を出力する。
【００５９】
一方、異常検知装置２は、操作表示部３、オペレータコールランプ４、異常通知ブザー５を具備し、制御構成要素として、異常検知装置制御部６と、異常検知装置記憶部１１と、画像形成装置異常監視部１０と、内部時計１２と、入力インタフェース７と、出力インタフェース９と、異常検知装置表示制御部８と、対画像形成装置接続インタフェース１３とを有する。
【００６０】
操作表示部３は、オペレータが異常検知装置２における異常検知制御の無効または有効の設定機能、異常検知の警告処理設定機能に関する各種の設定操作を行い、検知した異常の警告表示、設定内容を表示するための入出力装置である。
【００６１】
オペレータコールランプ４は、異常検知装置２が画像形成装置１において発生した異常を光によってオペレータに通知するための装置である。
【００６２】
異常通知ブザー５は、異常検知装置２が画像形成装置１において発生した異常を音によって通知するための装置である。
【００６３】
異常検知装置制御部６は、入力インタフェース７、表示制御部８、出力インタフェース９、画像形成装置異常監視部１０、異常検知装置記憶部１１、内部時計１２、対画像形成装置接続インタフェース１３を制御し、異常検知装置２における対画像形成装置１との制御データの入出力処理、ログの採取処理、異常検知制御の無効あるいは起動制御、異常発生時の警告処理を行う。
【００６４】
入力インタフェース７は、操作表示部３によるオペレータの操作を検知して異常検知装置制御部６に検知信号を出力する。
【００６５】
表示制御部８は、異常検知装置制御部６から出力された表示用制御データを操作表示部３への出力形式に変換して操作表示部３に出力する。
【００６６】
出力インタフェース９は、異常検知装置制御部６からの制御信号に基づいてオペレータコールランプ４の点灯制御、異常通知ブザー５の鳴動制御を行う。
【００６７】
画像形成装置異常監視部１０は、対画像形成装置接続インタフェース１３を介して受信した画像形成装置１からの各種制御データを解析し、解析結果を異常検知装置制御部６に出力する。
【００６８】
内部時計１２は、異常検知装置制御部６がログ採取処理を行う際に、タイムスタンプの記録に必要な時刻情報を取得するための計時手段である。
【００６９】
対画像形成装置接続インタフェース１３は、専用線２９を介して画像形成装置１に接続し、対画像形成装置１との制御データの送受信制御を行う。
【００７０】
異常検知装置記憶部１１は、異常検知装置２における制御プログラム（図示せず）、システムパラメータ１９、警告処理管理テーブル１５、ログ情報１６、バックグランド検知異常警告実施基準１４を記憶する記憶手段である。
【００７１】
警告処理管理テーブル１５は、異常検知処理が画像形成装置１にて発生した異常を検知した際に、バックグランドによる異常発生の警告処理を実施するか否かを、異常検知制御無効フラグ管理テーブル２１にて設定されたフラグ毎に管理するテーブルである。
【００７２】
図５は、警告処理管理テーブルの例を示すテーブルレイアウト図である。
【００７３】
図５において、警告処理管理テーブル１５は、異常種別、警告フラグの項目を管理する。
【００７４】
異常種別は、異常検知装置２が監視する画像形成装置１の各異常種別の名称を登録して管理する項目である。
【００７５】
警告フラグは、搬送異常が発生した旨を操作表示部３に表示する表示処理、異常通知ブザー５の鳴動処理、オペレータコールランプ４の点燈処理等、オペレータへの警告処理の実施の要否を設定して管理する項目である。
【００７６】
警告フラグは、異常種別に対応する異常検知制御無効フラグがＯＮの時の警告処理の要否を設定して管理する。
【００７７】
再度図１に戻り、ログ情報１６は、検知された異常に関する情報として、異常の種別、用紙を給紙したトレイ、異常が発生した時のタイムスタンプ等を記録して蓄積する情報である。
【００７８】
図６に、ログ情報１６に記憶されるデータの一例を示す。
【００７９】
図６において、ログ情報１６に採取して記憶される項目は、タイムスタンプ、異常種別、給紙トレイ、用紙種別、異常検知制御無効フラグ、警告実施フラグがある。
【００８０】
タイムスタンプは、内部時計１２から取得した搬送異常を検知した時の時刻と、異常検知装置制御部６のカレンダー機能によって取得した日付を記録する項目である。
【００８１】
異常種別は、検知した異常の種別（斜行、重送、端折れ）を記録する項目である。
【００８２】
給紙トレイは、異常が検知された用紙を給紙した給紙トレイＩＤに対応する給紙トレイ名を記録する項目である。
【００８３】
用紙種別は、搬送異常が検知された用紙の種類を記録する項目である。
【００８４】
再度図１に戻り、バックグランド検知異常警告実施基準１４は、異常検知制御が無効にされた異常が検知された場合に、バックグランドでの警告をオペレータに行う際に、警告処理に実施基準が設けられた場合基準値を異常種別毎に設定して管理するテーブルである。
【００８５】
図７に、バックグランド検知異常警告実施基準１４の例を示す。
【００８６】
図７において、バックグランド検知異常警告実施基準１４は、異常種別、警告実施基準を項目として有し、異常種別には、バックグランドでの監視対象となる各異常種別を登録して管理する。
【００８７】
警告実施基準は、バックグランドで検知した異常の警告処理を行う条件（図７においては、ログ情報１６の集計により連続して検知した異常の回数）が登録される。
【００８８】
次に、画像形成装置１における搬送異常の誤検知例を図示して説明する。
【００８９】
最初に、画像形成装置１の用紙搬送部３２において、重送検知部３６が重送を誤検知する時の例について説明する。
【００９０】
図８は、図１に示した画像形成装置１の用紙搬送部３２において、図２（Ｃ）の非定型用紙が搬送された時の搬送方向と重送センサの監視位置の関係を示した概略図と、定型用紙（５４、５５）が重なった状態で搬送される場合の重送センサの出力信号を示した波形図である。
【００９１】
図８において、重送センサＡ５０は、搬送される用紙の長さをチェックするために、搬送路の所定の監視位置における用紙の通過時間を検知するための光透過型のセンサ装置である。
【００９２】
図８（Ｃ）に示すように、用紙が正常に搬送された時の重送センサの出力波形は、図８（５７）の出力波形となり、検知した用紙の通過時間が（図８（Ｃ）におけるＴｄ２の値）が、システムパラメータ１９において印刷用紙毎に予め設定された基準値の範囲内となる。
【００９３】
一方、重送発生時における重送センサの出力波形は、図８（５６）の出力波形となり、搬送路における用紙の通過時間（図８（ｃ）におけるＴｄ１の値）は、システムパラメータ１９において印刷用紙毎に予め設定された基準値を超えるた波形となる。
【００９４】
従って、本来、重送センサＡ５０は、図８（Ａ）に示すように、２枚の定型用紙（５４、５５）の一部が重なった状態で搬送される異常を検知することを目的とするものであるが、図３（Ｂ）のように、定型用紙よりも搬送方向の長さが異なる非定型用紙５２を搬送した場合においても重送であると誤検知してしまう。
【００９５】
従って、図２（Ｃ）のような非定型用紙を連続して印刷する場合、画像形成装置１は、重送センサによる重送の検知制御を無効にして印刷処理を行う必要がある。  
次に、画像形成装置１の用紙搬送部３２において、斜行検知部３６が斜行と誤検知する時の例について説明する。
【００９６】
図９（Ａ）は、穴開き用紙６０を搬送する場合、異なる２つの先端部の通過時期を検知する斜行センサＡ５８、斜行センサＢ５９の監視位置と、穴開き用紙６０の搬送方向を示した図である。
【００９７】
図９（Ａ）において、斜行センサＡ５８は、穴開き用紙６０の穴開き領域６２を検知する位置に設置され、斜行センサＢ５９は、穴開き領域６２を検知しない位置を検知する位置に設置される。
【００９８】
また、図９（Ｂ）は、斜行センサＡ５８、斜行センサＢ５９の出力信号の波形図である。
【００９９】
画像形成装置１のセンサ制御部３１は、検知した用紙先端部の通過時刻の間に基準時間以上の差が生じた時に斜行と判断する。
【０１００】
例えば、図９（Ｂ）の波形図において、Ｔ＝ｔ１の時刻で斜行センサＢ５９が用紙先端部の通過を検知後、システムパラメータ１９に記憶された所定の基準時間ΔＴ経過した時点Ｔ＝ｔ１＋ΔＴの時刻で、斜行センサＡ５８の出力波形６４、斜行センサＢ５９の出力波形６３を見た場合に、斜行センサＡ５８が、丁度穴開き領域６２の通過によって用紙を検知していない状態を示す出力レベルの出力波形６４となり。
【０１０１】
このため、画像形成装置１のセンサ制御部３１は、Ｔ＝ｔ１＋ΔＴの時刻において、斜行センサＡ５８、斜行センサＢ５９の両方の出力波形がともに用紙を検知していないため斜行と誤検知する。
【０１０２】
次に、画像形成装置１の用紙搬送部３２において、端折れ検知部３４が端折れを誤検知する時の例について説明する。
【０１０３】
図１０は、図１に示した画像形成装置１の用紙搬送部３２において、図２（Ａ）の隠蔽はがきが搬送された時の搬送方向と端折れセンサの位置関係を示した概略図と、端折れセンサの出力信号を示した波形図である。
【０１０４】
画像形成装置１のセンサ制御部３１は、用紙の両端の通過を同時に検知できない場合に端折れと判断する。
【０１０５】
図１０（Ａ）は、端折れセンサＡ６５、端折れセンサＢ６６が、搬送される隠蔽はがきの両端を検知する位置に配置される。
【０１０６】
また、端折れセンサＡ６５は、隠蔽はがきのカット部７０を検知する位置に配置されている。
【０１０７】
これにより、端折れセンサＡ６５の出力波形６８の立ち上がり時刻（ｔ２）が、端折れセンサＢ６６の出力波形６９における立ち上がり時刻（ｔ１）よりも（ｔ２−ｔ１）分の遅れが生じる。
【０１０８】
このため、画像形成装置１のセンサ制御部３１は端折れを誤検知してしまう。
【０１０９】
次に、異常検知装置２における画像形成装置１の異常監視制御について説明する。
【０１１０】
図１１は、図１に示した異常検知装置２が、画像形成装置１からの搬送異常の通知を検知したときの処理手順を示すフローチャートである。
【０１１１】
図１１において、画像形成装置主制御部２６は、用紙搬送部３２あるいは給紙部４０にて発生した異常をセンサ制御部３１を介して検知すると（ステップＳ１０１でＹＥＳ）、検知した異常の種別、異常検知制御無効フラグ管理テーブル２１における異常種別に対する異常検知制御フラグの値、搬送中用紙給紙トレイの種別、用紙種別を含む異常発生を通知する制御データを作成し、対異常検知装置接続インタフェース２３を介して異常検知装置２に送信する（ステップＳ１０２）。
【０１１２】
異常検知装置２の画像形成装置異常監視部１０は、対画像形成装置接続インタフェース１３および専用線２９を介して画像形成装置１から受信した異常発生を通知する制御データを受信し、受信した制御データから異常種別、搬送中用紙給紙トレイ、用紙種別、異常検知制御無効フラグの値を抽出する（ステップＳ１０３）。
【０１１３】
異常検知装置制御部６は、ステップＳ１０３で抽出した異常に関する情報および、内部時計１２によって取得した時刻情報を含む情報を異常検知装置記憶部１１のログ情報１６へ登録する（ステップＳ１０４）。
【０１１４】
ステップＳ１０３で抽出した異常検知制御無効フラグがＯＮの場合（ステップＳ１０５でＹＥＳ）、異常検知装置制御部６は、異常検知装置記憶部１１に記憶された警告処理管理テーブル１５を参照し、ステップＳ１０３で抽出した異常種別に対応する警告フラグの値を取得して判断する（ステップＳ１０６）。
【０１１５】
警告フラグの値がＯＮの時（ステップＳ１０６でＹＥＳ）、異常検知装置制御部６は、異常検知装置記憶部１１のバックグランド検知異常警告実施基準１４を参照し、ステップＳ１０３で抽出した異常種別に対応する警告実施基準を取得し、警告実施条件が設定されているかを判断する（ステップＳ１０７）。
【０１１６】
警告実施条件が設定されている場合（ステップＳ１０７でＹＥＳ）、異常検知装置制御部６は、ログ情報１６を参照し、ステップＳ１０３で抽出した異常種別における連続発生回数を検知する（ステップＳ１０８）。
【０１１７】
ステップＳ１０７において取得した警告実施条件と、ステップＳ１０８で取得した連続発生回数が一致した場合（ステップＳ１０９でＹＥＳ）、異常検知装置制御部６は、バックグランドによる異常の警告処理を行う（ステップＳ１１０）。
【０１１８】
ここで、異常検知装置制御部６は、異常の警告処理として、例えば、図１３（Ａ）のような警告画面を操作表示部３に出力したり、オペレータコールランプ４の点灯、異常通知ブザー５の鳴動処理を行う。
【０１１９】
一方、警告フラグの値がＯＦＦの時（ステップＳ１０６でＮＯ）、または、ステップＳ１０９において、警告実施基準の条件に一致しない場合（ステップＳ１０９でＮＯ）、異常検知装置制御部６は、ステップＳ１０１に戻り画像形成装置１からの異常検知の通知を引き続き監視する。
【０１２０】
再度、ステップＳ１０５に戻り、異常検知制御無効フラグがＯＦＦの場合（ステップＳ１０５でＮＯ）、異常検知装置制御部６は、異常を検知した旨を表示制御部８を介して操作表示部３に出力し、オペレータコールランプ４の点灯、異常通知ブザー５の鳴動処理を行う（ステップＳ１１１）。
【０１２１】
ステップＳ１１１における異常検知報知処理が完了すると、異常検知装置制御部６は、画像形成装置１からの印刷処理再開通知を監視する（ステップＳ１１２でＮＯ）。
【０１２２】
画像形成装置１からの印刷処理再開通知を受信すると（ステップＳ１１２でＹＥＳ）、異常検知装置制御部６は、ステップＳ１０１に戻り、画像形成装置１からの異常検知の通知を引き続き監視する。
【０１２３】
次に、画像形成装置１において、オペレータによる給紙トレイの開閉操作を検知した時の制御処理について説明する。
【０１２４】
図１２は、図１に示した画像形成装置主制御部２６が、センサ制御部３１、給紙トレイセンサ３５を介して給紙トレイの開閉を検知した際、開閉された給紙トレイに設定された異常検知制御無効フラグの設定状況をオペレータに報知するときの処理手順を示したフローチャートである。
【０１２５】
図１２において、給紙トレイセンサ３５は、給紙トレイの開閉動作を検知すると、開閉された給紙トレイの種別を通知する検知信号、開閉された給紙トレイにセットされた用紙の種別を通知する検知信号をセンサ制御部３１を介して画像形成装置主制御部２６に出力する（ステップＳ２０１でＹＥＳ）。
【０１２６】
画像形成装置主制御部２６は、センサ制御部３１を介して受信した検知信号を解析して、開閉された給紙トレイＩＤを特定する（ステップＳ２０２）。
【０１２７】
画像形成装置主制御部２６は、画像形成装置記憶部１８の給紙トレイ管理テーブル２０を参照し、ステップＳ２０２で特定した給紙トレイＩＤに対応する用紙種別を取得する（ステップＳ２０３）。
【０１２８】
画像形成装置主制御部２６は、画像形成装置記憶部１８の異常検知制御無効フラグ管理テーブル２１を参照し、ステップＳ２０２で受信した給紙トレイＩＤに対応する各異常検知制御無効フラグの値を取得する（ステップＳ２０４）。
【０１２９】
画像形成装置主制御部２６は、ステップＳ２０４で取得した各異常検知制御無効フラグにおいてＯＮの設定があるかを判断する（ステップＳ２０５）。
【０１３０】
開閉された給紙トレイに異常検知制御の無効設定がある場合（ステップＳ２０６でＹＥＳ）、画像形成装置制御部２６は、給紙トレイに設定された、異常種別毎の異常検知制御の設定内容をオペレータに示す図１３（Ｂ）のような確認画面を異常検知装置２の操作表示部３に表示する（ステップＳ２０６）。
【０１３１】
オペレータは、この画面を参照することによって、開閉した給紙トレイに設定された異常検知制御の設定状況、警告処理の設定状況を確認し、必要であれば、設定変更ボタン７１を押下し、図１４（Ａ）の異常検知制御有効または無効設定画面、あるいは、図１４（Ｂ）のバックグランド検知異常警告実施基準設定画面に遷移して、設定状況の詳細確認もしくは設定変更操作を行う。
【０１３２】
なお、上記ステップＳ２０５の判定処理を省略し、無条件でステップＳ２０６の処理を実行してもよい。
【０１３３】
以上が本発明に係る異常検知装置および異常検知方法の一実施例の説明であるが、上記以外の変形例についてさらに説明する。
【０１３４】
図１において、異常検知装置２は、異常検知手段として画像形成装置１内に含む構成とし、対画像形成装置接続インタフェース１３と、対異常検知装置接続インタフェース２３における専用線２９での制御データの送受信をバス２４を介して行う構成にしてもよい。
【０１３５】
また、図１２に示した給紙トレイの開閉操作検知処理において、画像形成装置１の画像形成装置記憶部１８に記憶されるシステムパラメータ１９に、用紙種別毎の異常検知制御無効フラグのデフォルト設定の組を管理し、開閉された給紙トレイにセットされた用紙種別に基づいて、異常検知制御無効フラグ管理テーブル２１の内容を自動更新する構成にしてもよい。
【０１３６】
また、図１１に示した異常検知装置２の異常監視処理において、ステップＳ１０３で抽出した異常種別が、ログ情報１６の解析によって連続して検知される場合は、異常が検知された用紙の種別と、予め設定した条件（連続発生回数）に応じて、異常検知制御無効フラグ管理テーブル２１の該当フラグを自動で切り替える処理を追加する構成にしてもよい。
【産業上の利用可能性】
【０１３７】
本発明の異常検知装置は、異常検知を無効にする機能を備える装置、特に、画像形成装置に利用することが可能である。本発明を適用することにより、異常検知制御を無効にした異常を検知した場合、異常に関する情報のログ情報への記録、および異常の警告をバックグランドで行うようにしたので、特殊用紙等を高速で印刷する画像形成装置においては、異常検知制御の有効または無効の設定操作における人為的なミスを低減し、異常の誤検知による画像形成装置の稼動率の低下を防止し、また、異常の見逃しによる用紙の無駄を防止する効果を得るとともに、印刷ミスが発生した際においても、異常の原因（ハードウェア障害、ソフトウェア障害、オペレータの設定ミス）をログ情報によって特定して証明すことができる。
【図面の簡単な説明】
【０１３８】
【図１】本発明に係わる異常検知装置、異常検知装置に接続される画像形成装置の制御構成を示したブロック図である。
【図２】図１に示した画像形成装置で印刷する隠蔽はがき（図２（Ａ））、穴開き用紙（図２（Ｂ））、非定型用紙（図２（Ｃ））の例を示す概観図である。
【図３】図１に示した画像形成装置の画像形成装置記憶部に記憶される給紙トレイ管理テーブルの例を示すテーブルレイアウトである。
【図４】図１に示した画像形成装置の画像形成装置記憶部に記憶される異常検知制御無効フラグ管理テーブルの例を示すテーブルレイアウトである。
【図５】図１に示した異常検知装置の異常検知装置記憶部に記憶される警告処理管理テーブルのテーブルレイアウトである。
【図６】図１に示した異常検知装置の異常検知装置記憶部に記憶されるログ情報の記録項目と記録したデータ例を示すデータ図である。
【図７】図１に示した異常検知装置の異常検知装置記憶部に記憶されるバックグランド検知異常警告実施基準の例を示すテーブルレイアウト図である。
【図８】図１に示した画像形成装置の用紙搬送部において、図２（Ｃ）の非定型用紙が搬送された時の搬送方向と重送センサの位置関係を示した概略図と、定型用紙が重なった状態で搬送される場合の重送センサの出力信号を示した波形図である。
【図９】図１に示した画像形成装置の用紙搬送部において、図２（Ｂ）の穴開き用紙が搬送された時の搬送方向と斜行センサの位置関係を示した概略図と、斜行センサの出力信号を示した波形図である。
【図１０】図１に示した画像形成装置の用紙搬送部において、図２（Ａ）の隠蔽はがきが搬送された時の搬送方向と端折れセンサの位置関係を示した概略図と、端折れセンサの出力信号を示した波形図である。
【図１１】図１に示した異常検知装置が、画像形成装置の搬送路における異常を検知したときの処理手順を示すフローチャートである。
【図１２】図１に示した異常検知装置が画像形成装置の給紙トレイの開閉を検知した時に給紙トレイ毎の異常検知制御無効フラグの設定状況を報知するときの処理手順を示すフローチャートである。
【図１３】図１に示した異常検知装置の操作表示部において、バックグランドにおいて異常を検知した場合の警告画面と、給紙トレイを開閉した際の警告画面の例を示した画面イメージである。
【図１４】図１に示した異常検知装置の操作表示部において、各給紙トレイに対する異常検知制御の無効または有効設定を行うユーザインタフェースの例を示す画面イメージである。
【符号の説明】
【０１３９】
１    画像形成装置
２    異常検知装置
３    操作表示部
４    オペレータコールランプ
５    異常通知ブザー
６    異常検知装置制御部
７    入力インタフェース
８    表示制御部
９    出力インタフェース
１０    画像形成装置異常監視部
１１    異常検知装置記憶部
１２    内部時計
１３    対画像形成装置接続インタフェース
１４    バックグランド検知異常警告実施基準
１５    警告処理管理テーブル
１６    ログ情報
１８    画像形成装置記憶部
１９    システムパラメータ
２０    給紙トレイ管理テーブル
２１    異常検知制御無効フラグ管理テーブル
２２    搬送中用紙給紙トレイ
２３    対異常検知装置接続インタフェース
２４    バス
２５    プリンタコントローラ
２６    画像形成装置主制御部
２７    ネットワークインタフェース
２８    ネットワーク
２９    専用線
３０    プリンタ部
３１    センサ制御部
３２    用紙搬送部
３３    斜行検知部
３４    端折れ検知部
３５    給紙トレイセンサ
３６    重送検知部
３７    給紙トレイＡ
３８    給紙トレイＢ
３９    給紙トレイＣ
４０    給紙部
５０    重送センサＡ
５２    非定型用紙
５３、５４    定型用紙
５６    重送センサＡの出力波形
５７    重送センサＢの出力波形
５８    斜行センサＡ
５９    斜行センサＢ
６０    穴開き用紙
６２    穴開き領域
６３    斜行センサＢの出力波形
６４    斜行センサＡの出力波形
６５    端折れセンサＡ
６６    端折れセンサＢ
６８    端折れセンサＡの出力波形
６９    端折れセンＢの出力波形
７０    カット部
７１    設定変更ボタン
７２    ＯＫボタン
【図１】
2005031590.tif 000003
【図２】
2005031590.tif 000004
【図３】
2005031590.tif 000005
【図４】
2005031590.tif 000006
【図５】
2005031590.tif 000007
【図６】
2005031590.tif 000008
【図７】
2005031590.tif 000009
【図８】
2005031590.tif 000010
【図９】
2005031590.tif 000011
【図１０】
2005031590.tif 000012
【図１１】
2005031590.tif 000013
【図１２】
2005031590.tif 000014
【図１３】
2005031590.tif 000015
【図１４】
2005031590.tif 000016